【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームを開始させることが可能となり、複数の可変表示部において各々が識別可能な複数種類の識別情報を変動表示させる可変表示装置に表示結果が導出されることにより１ゲームが終了し、該可変表示装置に設定された有効ライン上に導出された表示結果に応じて入賞が発生可能であるスロットマシンにおいて、
前記可変表示装置の表示結果が導出される以前に、前記可変表示装置の表示結果として前記賭数の設定に使用可能な有価価値を用いることなくゲームを行うことが可能な再ゲームの付与を伴う再遊技表示結果と前記賭数の設定に使用可能な有価価値の付与を伴うとともに遊技状態の移行を伴わない小役表示結果とを含む入賞表示結果を導出させることを許容するか否かを抽選により決定し、該決定結果に応じて各々の入賞表示結果を導出させることを許容する導出許容手段と、
所定の変動開始条件が成立したときに、前記複数の可変表示部における識別情報の変動表示を開始させる変動開始制御手段と、
遊技者の操作により、前記複数の可変表示部における識別情報の変動表示を停止させることをそれぞれ指示する停止操作手段と、
前記複数の可変表示部のそれぞれに対応する前記停止操作手段の操作を検出する停止操作検出手段と、
前記複数の可変表示部のそれぞれについて前記停止操作検出手段が前記停止操作手段の操作を検出したときに、該操作の検出に対応した可変表示部において識別情報の変動表示を停止させる変動停止制御手段と、
所定の移行条件が成立したときに、通常遊技状態から該通常遊技状態とは識別情報の変動表示の停止制御が異なる特別遊技状態に遊技状態を移行させる遊技状態制御手段と、
前記可変表示装置に導出された表示結果が入賞表示結果であるか否かを判定する入賞判定手段とを備え、
前記導出許容手段は、前記遊技状態制御手段により前記特別遊技状態に制御されているときに、前記小役表示結果を導出させることを前記抽選の結果によらずに許容するとともに、前記再遊技表示結果を導出させることを前記抽選による決定結果に応じて許容し、
前記変動停止制御手段は、
前記遊技状態制御手段により前記通常遊技状態に制御されているときにおいて前記停止操作検出手段が前記停止操作手段の操作を検出したときに、該操作の検出に対応した可変表示部において第１の最大遅延時間の範囲内で導出可能な識別情報のうちから前記導出許容手段により各々の入賞表示結果の導出が許容されているか否かに応じた識別情報を導出して変動表示を停止させる通常停止制御手段と、
前記遊技状態制御手段により前記特別遊技状態に制御されているときにおいて前記停止操作検出手段が前記停止操作手段の操作を検出したときに、前記複数の可変表示部のうちの少なくとも一部の特別可変表示部において前記第１の最大遅延時間よりも短い第２の最大遅延時間の範囲内で導出可能な識別情報のうちから前記導出許容手段により各々の入賞表示結果の導出が許容されているか否かに応じた識別情報を導出して変動表示を停止させる特別停止制御手段とを備え、
前記特別停止制御手段は、
前記導出許容手段により前記再遊技表示結果の導出が許容されていないときに、前記小役表示結果以外の入賞表示結果が導出されない識別情報を導出して変動表示を停止させる非許容時制御手段と、
前記導出許容手段により前記再遊技表示結果の導出が許容されているときに、前記第２の最大遅延時間の範囲で前記再遊技表示結果を導出可能なときには該再遊技表示結果が導出される識別情報を導出し、該再遊技表示結果を導出不能なときであって前記第２の最大遅延時間の範囲で前記小役表示結果を導出可能なときには該小役表示結果が導出される識別情報を導出して変動表示を停止させる再遊技許容時制御手段とを備える
ことを特徴とするスロットマシン。
【請求項２】
前記再遊技許容時制御手段は、前記第２の最大遅延時間の範囲で前記再遊技表示結果を導出可能なときに該再遊技表示結果を構成する識別情報を導出すると前記再遊技表示結果とともに他の入賞表示結果を導出することとなるときには、前記第２の最大遅延時間の範囲で前記再遊技表示結果が導出されない識別情報を導出して変動表示を停止させる
ことを特徴とする請求項１に記載のスロットマシン。
【請求項３】
前記特別停止制御手段は、前記複数の可変表示部のうちで前記特別可変表示部以外の非特別可変表示部において前記第１の最大遅延時間の範囲で導出可能な識別情報のうちから前記導出許容手段により各々の入賞表示結果の導出が許容されているか否かに応じた識別情報を導出して変動表示を停止させる非特別停止制御手段を備え、
前記非特別停止制御手段は、前記非特別可変表示部において前記第１の最大遅延時間の範囲内で導出可能な識別情報のうちから、最終停止される可変表示部において前記再遊技表示結果を導出させると他の入賞表示結果も導出することが不可避となり得る第１不能パターンを構成しない識別情報を導出する
ことを特徴とする請求項１または２に記載のスロットマシン。
【請求項４】
前記特別停止制御手段は、前記複数の可変表示部のうちで前記特別可変表示部以外の非特別可変表示部において前記第１の最大遅延時間の範囲で導出可能な識別情報のうちから前記導出許容手段により各々の入賞表示結果の導出が許容されているか否かに応じた識別情報を導出して変動表示を停止させる非特別停止制御手段を備え、
前記非特別停止制御手段は、前記導出許容手段により前記再遊技表示結果の導出が許容されていないときに、前記非特別可変表示部において前記第１の最大遅延時間の範囲内で導出可能な識別情報のうちから、最終停止される可変表示部において前記再遊技表示結果を構成しない識別情報を導出する際に前記再遊技表示結果とも前記小役表示結果とも異なる所定の入賞表示結果を導出することが不可避となり得る第２不能パターンを構成しない識別情報を導出する
ことを特徴とする請求項１乃至３のいずれか１項に記載のスロットマシン。
【請求項５】
前記入賞判定手段は、前記複数の可変表示部のうちで予め定められた特定可変表示部に特定識別情報が導出されたときに、特定入賞表示結果が導出されたものと判定し、
前記再遊技許容時制御手段は、前記特定可変表示部に前記特定識別情報が導出されている状態で該特定可変表示部以外の可変表示部における変動表示を停止させるときには、導出可能な識別情報のうちから前記再遊技表示結果が導出されない識別情報を導出して変動表示を停止させる
ことを特徴とする請求項１乃至４のいずれか１項に記載のスロットマシン。
【請求項６】
少なくとも前記所定の変動開始条件が成立した以降に成立可能な計時開始条件が成立してから経過した時間を計測する計時手段をさらに備え、
前記変動停止制御手段は、前記計時手段が所定の時間を計時したときに前記複数の可変表示部の全てにおいて識別情報が変動表示されているときに、前記遊技状態制御手段により前記通常遊技状態に制御されているか前記特別遊技状態に制御されているかに関わらず各可変表示部において前記第１の最大遅延時間の範囲内で導出可能な識別情報のうちから前記入賞表示結果を構成しない識別情報を前記導出許容手段により入賞表示結果の導出が許容されているか否かに関わらずに導出して変動表示を停止させる時間停止制御手段をさらに備える
ことを特徴とする請求項１乃至５のいずれか１項に記載のスロットマシン。
【請求項７】
少なくとも前記所定の変動開始条件が成立した以降に成立可能な計時開始条件が成立してから経過した時間を計測する計時手段をさらに備え、
前記変動停止制御手段は、前記計時手段が所定の時間を計時したときに前記複数の可変表示部の全てにおいて識別情報が変動表示されているときに、前記遊技状態制御手段により前記通常遊技状態に制御されているか前記特別遊技状態に制御されているかに関わらず各可変表示部において前記入賞表示結果以外の予め定められた所定の表示結果を構成する識別情報を導出して変動表示を停止させる時間停止制御手段をさらに備える
ことを特徴とする請求項１乃至５のいずれか１項に記載のスロットマシン。
【請求項８】
前記特別遊技状態に制御されているときに、前記導出許容手段の抽選により前記再遊技表示結果を導出させることを許容する旨が決定される確率を、前記特別遊技状態に制御されていないときよりも高くする再遊技確率変動手段をさらに備える
ことを特徴とする請求項１乃至７のいずれか１項に記載のスロットマシン。
【手続補正２】
【補正対象書類名】明細書
【補正対象項目名】００１０
【補正方法】変更
【補正の内容】
【００１０】
上記第１の目的を達成するため、本発明にかかるスロットマシンは、
１ゲームに対して所定数の賭数を設定することによりゲームを開始させることが可能となり、複数の可変表示部（リール３Ｌ、３Ｃ、３Ｒ）において各々が識別可能な複数種類の識別情報を変動表示させる可変表示装置（可変表示装置２）に表示結果が導出されることにより１ゲームが終了し、該可変表示装置に設定された有効ライン上に導出された表示結果に応じて入賞が発生可能であるスロットマシンにおいて、
前記可変表示装置の表示結果が導出される以前に、前記可変表示装置の表示結果として前記賭数の設定に使用可能な有価価値を用いることなくゲームを行うことが可能な再ゲームの付与を伴う再遊技表示結果（リプレイ）と前記賭数の設定に使用可能な有価価値の付与を伴うとともに遊技状態の移行を伴わない小役表示結果（スイカ、ベル、チェリー）とを含む入賞表示結果を導出させることを許容するか否かを抽選により決定し、該決定結果に応じて各々の入賞表示結果を導出させることを許容する導出許容手段（ステップＳ３）と、
所定の変動開始条件（スタートレバー１１の操作＆１ゲームタイマが所定時間を計時）が成立したときに、前記複数の可変表示部における識別情報の変動表示を開始させる変動開始制御手段（ステップＳ４）と、
遊技者の操作により、前記複数の可変表示部における識別情報の変動表示を停止させることをそれぞれ指示する停止操作手段（停止ボタン１２Ｌ、１２Ｃ、１２Ｒ）と、
前記複数の可変表示部のそれぞれに対応する前記停止操作手段の操作を検出する停止操作検出手段（ストップスイッチ４２Ｌ、４２Ｃ、４２Ｒ）と、
前記複数の可変表示部のそれぞれについて前記停止操作検出手段が前記停止操作手段の操作を検出したときに、該操作の検出に対応した可変表示部において識別情報の変動表示を停止させる変動停止制御手段（ステップＳ１０６、Ｓ１０９、Ｓ１１２）と、
所定の移行条件が成立したときに（ステップＳ３０４（ＹＥＳ））、通常遊技状態から該通常遊技状態とは識別情報の変動表示の停止制御が異なる特別遊技状態（ＣＴ）に遊技状態を移行させる遊技状態制御手段（ステップＳ３０５）と、
前記可変表示装置に導出された表示結果が入賞表示結果であるか否かを判定する入賞判定手段（ステップＳ６）とを備え、
前記導出許容手段は、前記遊技状態制御手段により前記特別遊技状態に制御されているときに、前記小役表示結果を導出させることを前記抽選の結果によらずに許容する（ステップＳ６４）とともに、前記再遊技表示結果を導出させることを前記抽選による決定結果に応じて許容し（ステップＳ６６）、
前記変動停止制御手段は、
前記遊技状態制御手段により前記通常遊技状態に制御されているときにおいて前記停止操作検出手段が前記停止操作手段の操作を検出したときに、該操作の検出に対応した可変表示部において第１の最大遅延時間（１９０ミリ秒）の範囲内で導出可能な識別情報のうちから前記導出許容手段により各々の入賞表示結果の導出が許容されているか否かに応じた識別情報を導出して変動表示を停止させる通常停止制御手段（ステップＳ２０２〜Ｓ２１４）と、
前記遊技状態制御手段により前記特別遊技状態に制御されているときにおいて前記停止操作検出手段が前記停止操作手段の操作を検出したときに、前記複数の可変表示部のうちの少なくとも一部の特別可変表示部（リール３Ｌ）において前記第１の最大遅延時間よりも短い第２の最大遅延時間（７５ミリ秒）の範囲内で導出可能な識別情報のうちから前記導出許容手段により各々の入賞表示結果の導出が許容されているか否かに応じた識別情報を導出して変動表示を停止させる特別停止制御手段（ステップＳ２１６〜Ｓ２６６）とを備え、
前記特別停止制御手段は、
前記導出許容手段により前記再遊技表示結果の導出が許容されていないときに、前記小役表示結果以外の入賞表示結果が導出されない識別情報を導出して変動表示を停止させる非許容時制御手段（ステップＳ２２２、Ｓ２３０、Ｓ２３１、Ｓ２３９、Ｓ２４０、Ｓ２４７、Ｓ２４８）と、
前記導出許容手段により前記再遊技表示結果の導出が許容されているときに、前記第２の最大遅延時間の範囲で前記再遊技表示結果を導出可能なとき（ステップＳ２１９（ＹＥＳ）、Ｓ２２４（ＹＥＳ））には該再遊技表示結果が導出される識別情報を導出し（ステップＳ２２１、Ｓ２２６、Ｓ２３７、Ｓ２４５）、該再遊技表示結果を導出不能なとき（ステップＳ２１９（ＮＯ）、Ｓ２２４（ＮＯ））であって前記第２の最大遅延時間の範囲で前記小役表示結果を導出可能なとき（ステップＳ２２９（ＹＥＳ））には該小役表示結果が導出される識別情報を導出して変動表示を停止させる（ステップＳ２２２、Ｓ２３０）再遊技許容時制御手段とを備える
ことを特徴とする。
【手続補正３】
【補正対象書類名】明細書
【補正対象項目名】００１１
【補正方法】変更
【補正の内容】
【００１１】
上記スロットマシンでは、特別遊技状態にあるときには抽選によらずに小役表示結果の導出が許容される。ここで、停止操作手段の操作を検出したことに基づいて特別可変表示部における変動表示が停止されるときには、第１最大遅延時間よりも短い第２最大遅延時間の範囲で小役表示結果を構成する識別情報を導出できれば、小役表示結果を導出させることが可能となる。つまり、抽選の結果によらずに短い遅延時間の範囲で小役表示結果を導出することができる。
【手続補正４】
【補正対象書類名】明細書
【補正対象項目名】００１３
【補正方法】変更
【補正の内容】
【００１３】
ここで、特別遊技状態において再遊技表示結果の導出が許容されているときにおいて、再遊技表示結果が導出される識別情報の方が優先して導出されるので、再遊技表示結果の導出を許容するか否かを決定する抽選が無意味なものとなることはない。一方、第２の最大遅延時間の範囲で再遊技表示結果を構成する識別情報を導出不可能なときであっても小役表示結果を構成する識別情報を導出することができるので、再遊技表示結果が導出されなくても小役表示結果が導出される場合があり、再遊技表示結果が導出されず、次回ゲームにおいて賭数の設定に有価価値を用いることとなったとしても、その再遊技表示結果を逃したゲームにおいて小役表示結果の導出により有価価値の付与が得られたときには、その付与された有価価値を次回ゲームの賭数の設定に用いることができるようになるので、遊技者の利益を十分に確保することができる。
【手続補正５】
【補正対象書類名】明細書
【補正対象項目名】００１４
【補正方法】変更
【補正の内容】
【００１４】
上記スロットマシンにおいて、さらに上記第２の目的を達成するため、
前記再遊技許容時制御手段は、前記第２の最大遅延時間の範囲で前記再遊技表示結果を導出可能なときに該再遊技表示結果を構成する識別情報を導出すると前記再遊技表示結果とともに他の入賞表示結果（チェリーの小役）を導出することとなるときには、前記第２の最大遅延時間の範囲で前記再遊技表示結果が導出されない識別情報を導出して変動表示を停止させるものとすることができる（ステップＳ２２８）。
【手続補正６】
【補正対象書類名】明細書
【補正対象項目名】００１５
【補正方法】変更
【補正の内容】
【００１５】
この場合には、第２の最大遅延時間の範囲で再遊技表示結果を構成する識別情報を導出すると再遊技表示結果とともに他の入賞表示結果を導出することとなる場合には再遊技表示結果を構成する識別情報を導出しないので、特別遊技状態において再遊技表示結果とともに他の入賞表示結果が導出されてしまうのを回避することができ、射倖性を抑制することができる。再遊技表示結果とともに他の入賞表示結果を導出することとなる場合には再遊技表示結果を構成する識別情報を導出しないように制御で回避するので、再遊技表示結果と他の入賞表示結果とが同時に導出されるのを必ず避けられる識別情報の配列にすることによる他の識別情報の配列の制約を抑えることができる。
【手続補正７】
【補正対象書類名】明細書
【補正対象項目名】００１６
【補正方法】変更
【補正の内容】
【００１６】
例えば、停止条件が成立したときに表示されている識別情報と許容されている入賞表示結果の種類に応じて、導出が許容されている表示結果を導出するとともに導出が許容されていない表示結果の導出を回避するように可変表示部の停止制御を行うコントロール方式のスロットマシンでは、
前記再遊技許容時制御手段は、前記第２の最大遅延時間の範囲で前記再遊技表示結果を構成する再遊技識別情報を選択可能なときに該再遊技識別情報を選択すると前記再遊技表示結果とともに他の入賞表示結果（チェリーの小役）を導出することとなるか否かを判定する複合判定手段（ステップＳ２２５、Ｓ２２７）を備え、前記複合判定手段により他の入賞表示結果を導出することとなると判定されたときには（ステップＳ２２５（ＮＯ）→Ｓ２２７（ＹＥＳ））、前記第２の最大遅延時間の範囲で前記再遊技識別情報以外の識別情報を選択し、該選択した識別情報を導出して変動表示を停止させるものとすることができる（ステップＳ２２８）。
【手続補正８】
【補正対象書類名】明細書
【補正対象項目名】００１７
【補正方法】変更
【補正の内容】
【００１７】
停止条件が成立したときに表示されている識別情報と許容されている入賞表示結果の種類に応じて導出される識別情報を予め登録したテーブルを用いて可変表示部の停止制御を行うテーブル方式のスロットマシンでは、
特別遊技状態において停止条件が成立したときに表示されている表示中識別情報に応じて表示結果として導出される導出識別情報を特定する情報を登録したテーブルであって、前記特別可変表示部において停止条件が成立したときに表示されている表示中識別情報から前記第２の最大遅延時間の範囲で導出可能な位置にある再遊技表示結果が導出される識別情報を導出すると前記再遊技表示結果とともに他の入賞表示結果（チェリーの小役）を導出することとなるときには該再遊技表示結果が導出されない識別情報を導出するように導出識別情報を特定する情報を登録したテーブル（図２５（ｄ）〜（ｉ））を備えるものとすることができ、
前記再遊技許容時制御手段は、前記テーブルに従って前記導出識別情報を導出するものとすることができる。
【手続補正９】
【補正対象書類名】明細書
【補正対象項目名】００１８
【補正方法】変更
【補正の内容】
【００１８】
上記スロットマシンにおいて、さらに上記第２の目的を達成するため、
前記特別停止制御手段は、前記複数の可変表示部のうちで前記特別可変表示部以外の非特別可変表示部（リール３Ｃ、３Ｒ）において前記第１の最大遅延時間の範囲で導出可能な識別情報のうちから前記導出許容手段により各々の入賞表示結果の導出が許容されているか否かに応じた識別情報を導出して変動表示を停止させる非特別停止制御手段（図２２）を備えるものとすることができる。この場合において、
前記非特別停止制御手段は、前記非特別可変表示部において前記第１の最大遅延時間の範囲内で導出可能な識別情報のうちから、最終停止される可変表示部において前記再遊技表示結果を導出させると他の入賞表示結果も導出することが不可避となり得る第１不能パターン（図２１の特定禁止目）を構成しない識別情報を導出するものとすることができる。
【手続補正１０】
【補正対象書類名】明細書
【補正対象項目名】００１９
【補正方法】変更
【補正の内容】
【００１９】
この場合には、最終停止される可変表示部の前に第１不能パターンが出現することがないので、特別遊技状態において再遊技表示結果とともに他の入賞表示結果が導出されてしまうのを回避することができる。特に最終停止される可変表示部が最大遅延時間の短い特別可変表示部となる場合であっても、最大遅延時間の比較的長い非特別可変表示部において第１不能パターンを導出させない制御を行うので、再遊技表示結果とともに他の入賞表示結果が導出されるのを確実に回避することができ、射倖性を抑制することができる。また、非特別可変表示部において第１不能パターンを導出させない識別情報を導出することで、再遊技表示結果と他の入賞表示結果とが同時に導出されるのを必ず避けられる識別情報の配列にすることによる他の識別情報の配列の制約を抑えることができる。
【手続補正１１】
【補正対象書類名】明細書
【補正対象項目名】００２１
【補正方法】変更
【補正の内容】
【００２１】
テーブル方式のスロットマシンでは、
特別遊技状態において停止条件が成立したときに表示されている表示中識別情報に応じて表示結果として導出される導出識別情報を特定する情報を登録したテーブルであって、前記非特別可変表示部において停止条件が成立したときに表示されている表示中識別情報から前記第１の最大遅延時間の範囲内で導出可能な位置にある前記第１不能パターンを導出しないように導出識別情報を特定する情報を登録したテーブル（図２１の特定禁止目が出現しないように構成された図２４（ｂ）、（ｃ）と同様の形式のテーブル）を備えるものとすることができ、
前記非特別停止制御手段は、前記テーブルに従って前記導出識別情報を導出するものとすることができる。
【手続補正１２】
【補正対象書類名】明細書
【補正対象項目名】００２２
【補正方法】変更
【補正の内容】
【００２２】
また、前記特別停止制御手段は、前記複数の可変表示部のうちで前記特別可変表示部以外の非特別可変表示部（リール３Ｃ、３Ｒ）において前記第１の最大遅延時間の範囲で導出可能な識別情報のうちから前記導出許容手段により各々の入賞表示結果の導出が許容されているか否かに応じた識別情報を導出して変動表示を停止させる非特別停止制御手段（図１３、図２２）を備えるものとすることができる。この場合において、
前記非特別停止制御手段は、前記導出許容手段により前記再遊技表示結果の導出が許容されていないときに、前記非特別可変表示部において前記第１の最大遅延時間の範囲内で導出可能な識別情報のうちから、最終停止される可変表示部において前記再遊技表示結果を構成しない識別情報を導出する際に前記再遊技表示結果とも前記小役表示結果とも異なる所定の入賞表示結果（レギュラーボーナス、ビッグボーナス、ＣＴ、ＳＣＴ）を導出することが不可避となり得る第２不能パターン（図６（ｂ）〜（ｇ）の禁止目）を構成しない識別情報を導出するものとすることができる。
【手続補正１３】
【補正対象書類名】明細書
【補正対象項目名】００２３
【補正方法】変更
【補正の内容】
【００２３】
この場合には、最終停止される可変表示部の前に第２不能パターンが出現することがないので、特別遊技状態において再遊技表示結果の導出が許容されていないときに、再遊技表示結果の導出を避けることによって小役表示結果ではない所定の入賞表示結果が導出されてしまうのを回避することができる。特に最終停止される可変表示部が最大遅延時間の短い特別可変表示部となる場合であっても、最大遅延時間の比較的長い非特別可変表示部において第２不能パターンを導出させない制御を行うので、再遊技表示結果とも小役表示結果とも異なる所定の入賞表示結果が導出されるのを確実に回避することができる。また、非特別可変表示部において第２不能パターンを導出させない識別情報を導出することで、再遊技表示結果とも小役表示結果とも異なる所定の入賞表示結果が導出されるのを必ず避けられる識別情報の配列にすることによる他の識別情報の配列の制約を抑えることができる。
【手続補正１４】
【補正対象書類名】明細書
【補正対象項目名】００２５
【補正方法】変更
【補正の内容】
【００２５】
テーブル方式のスロットマシンでは、
特別遊技状態で再遊技表示結果の導出が許容されていないときにおいて停止条件が成立したときに表示されている表示中識別情報に応じて表示結果として導出される導出識別情報を特定する情報を登録したテーブルであって、前記非特別可変表示部において停止条件が成立したときに表示されている表示中識別情報から前記第１の最大遅延時間の範囲内で導出可能な位置にある前記第２不能パターンを導出しないように導出識別情報を特定する情報を登録したテーブル（図２４（ｂ）、（ｃ））を備えるものとすることができ、
前記非特別停止制御手段は、前記テーブルに従って前記導出識別情報を導出するものとすることができる。
【手続補正１５】
【補正対象書類名】明細書
【補正対象項目名】００２７
【補正方法】変更
【補正の内容】
【００２７】
上記スロットマシンにおいて、
前記入賞判定手段は、前記複数の可変表示部のうちで予め定められた特定可変表示部（リール３Ｌ）に特定識別情報（チェリー）が導出されたときに、特定入賞表示結果（チェリーの小役）が導出されたものと判定するものであってもよい。
この場合において、さらに上記第２の目的を達成するため、
前記再遊技許容時制御手段は、前記特定可変表示部に前記特定識別情報が導出されている状態で該特定可変表示部以外の可変表示部における変動表示を停止させるときには（ステップＳ２４３（Ｙｅｓ））、導出可能な識別情報のうちから前記再遊技表示結果を構成しない識別情報を導出して変動表示を停止させるものとすることができる（ステップＳ２４４）。
【手続補正１６】
【補正対象書類名】明細書
【補正対象項目名】００２８
【補正方法】変更
【補正の内容】
【００２８】
この場合には、特定可変表示部に特定識別情報が導出されれば、特定可変表示部以外の可変表示部に如何なる識別情報が導出されても特定入賞表示結果が導出されたものとなり、変動表示を停止していない可変表示部があっても入賞が確定する。このように特定可変表示部に特定識別情報が導出されているときには、再遊技表示結果の導出が許容されているときであっても（許容されていないときも）、再遊技表示結果が導出されない識別情報を導出するので、再遊技表示結果が特定表示結果とともに導出されてしまうのを回避することができ、射倖性を抑制することができる。また、特定可変表示部に特定識別情報が導出されていないときには再遊技表示結果が導出されない識別情報を導出することで、再遊技表示結果と特定入賞表示結果とが同時に導出されるのを必ず避けられる識別情報の配列にすることによる他の識別情報の配列の制約を抑えることができる。
【手続補正１７】
【補正対象書類名】明細書
【補正対象項目名】００２９
【補正方法】変更
【補正の内容】
【００２９】
上記スロットマシンは、
少なくとも前記所定の変動開始条件が成立した以降に成立可能な計時開始条件が成立してから経過した時間を計測する計時手段（ステップＳ１０２）をさらに備えていてもよい。この場合において、
前記変動停止制御手段は、前記計時手段が所定の時間を計時したときに前記複数の可変表示部の全てにおいて識別情報が変動表示されているときに、前記遊技状態制御手段により前記通常遊技状態に制御されているか前記特別遊技状態に制御されているかに関わらず各可変表示部において前記第１の最大遅延時間の範囲内で導出可能な識別情報のうちから前記入賞表示結果を構成しない識別情報を前記導出許容手段により入賞表示結果の導出が許容されているか否かに関わらずに導出して変動表示を停止させる時間停止制御手段（ステップＳ２５０〜Ｓ２５２）をさらに備えるものとすることができる。
【手続補正１８】
【補正対象書類名】明細書
【補正対象項目名】００３０
【補正方法】変更
【補正の内容】
【００３０】
また、前記変動停止制御手段は、前記計時手段が所定の時間を計時したときに前記複数の可変表示部の全てにおいて識別情報が変動表示されているときに、前記遊技状態制御手段により前記通常遊技状態に制御されているか前記特別遊技状態に制御されているかに関わらず各可変表示部において前記入賞表示結果以外の予め定められた所定の表示結果（特定ハズレ目）を構成する識別情報を導出して変動表示を停止させる時間停止制御手段（ステップＳ２９９）をさらに備えるものとすることもできる。
【手続補正１９】
【補正対象書類名】明細書
【補正対象項目名】００３１
【補正方法】変更
【補正の内容】
【００３１】
これらの場合においては、遊技者によって停止操作手段が操作されなくても計時手段が所定の時間を計時すれば全ての可変表示部における変動表示が停止されるため、１ゲーム当たりに要する時間を制限することができ、スロットマシンの実質的な稼働率の低下を防止することができる。また、所定の時間の計時に基づいて全ての可変表示部について変動表示が停止されるときには、通常遊技状態に制御されているか特別遊技状態に制御されているかに関わらずに、入賞表示結果以外の表示結果が導出されるので、偶然性の要素だけで入賞表示結果が導出されることはなく、射倖性の抑制の担保を図ることができる。特に後者の時間停止制御手段では、入賞表示結果以外の表示結果として所定の表示結果を構成する識別情報を一定の制御で導出できるため、制御が容易になる。
【手続補正２０】
【補正対象書類名】明細書
【補正対象項目名】００３３
【補正方法】変更
【補正の内容】
【００３３】
特別遊技状態にあるときに第２の最大遅延時間の範囲で変動表示が停止されるため、再遊技表示結果の導出が許容されても再遊技表示結果が導出される識別情報を導出できない場合が生じなるが、再遊技表示結果の導出が許容される場合が多くなるため、結果として特別遊技状態において再遊技表示結果が導出されなくなることが少なくならないようにすることができる。